(57)【特許請求の範囲】
【請求項１】
前端にホース差込み口が設けられ、その後方に電動送風機が収納された掃除機本体と、
有天で後面開放の集塵ケースと、前記集塵ケースの有天の天面に設けられた取っ手からなり、前記掃除機本体の上方から前記ホース差込み口と前記電動送風機との間の前記掃除機本体に着脱可能に装着される集塵ボックスと、
台紙を有し、内部に塵埃を捕集して、塵埃で満杯になった際には新しいものと交換可能な集塵体と、
を備え、
前記集塵ボックスは、前記集塵体の台紙を係止して前記集塵体を収納可能で、前記集塵ボックスに前記集塵体を取り付けた状態で前記集塵ボックスを前記掃除機本体に装着することで前記集塵体も前記電気掃除機本体にセットされ、前記集塵体を交換する際には、前記集塵ボックスを掃除機本体から脱することで、前記集塵体も共に掃除機本体より取り外すことができ、前記集塵体を前記集塵ボックスの後面より排出可能に構成したことを特徴とする電気掃除機。
【請求項２】
集塵ケースに脱ボタンを設けると共に、該脱ボタンの動作により集塵体を排出可能に構成したことを特徴とする請求項１に記載の電気掃除機。
【発明の詳細な説明】
【０００１】
【発明の属する技術分野】
本発明は、集塵体が取付けられ、掃除機本体に着脱可能に装着される集塵ボックスを備えた電気掃除機に関するものである。
【０００２】
【従来の技術】
図７は例えば実開昭５７−１５５７５７号公報に記載された従来の電気掃除機の断面図である。図において、６１は電動送風機６２を内蔵した後側ケース、６３は集塵体６４を備えた前側ケースであり、後側ケース６１と前側ケース６３は接続部６５により着脱自在に接合されている。また、前側ケース６３の前面側に設けた差込み口６６にはホース（図示せず）が接続され、集塵体６４と電動送風機６２を連通する吸込み風路が形成されている。
【０００３】
また、後側ケース６１及び前側ケース６３の上部にはそれぞれ後取っ手６７、前取っ手６８が設けられており、前取っ手６８の前面側には前側ケース６３内に押圧面６９を有する脱ボタン７０が、ばね７１により上方に付勢された状態で取付けられている。
さらに、前側ケース６３の下部には、ヒンジ７２を支点として回動する蓋板７３で覆われた開口部７４が設けられており、この開口部７４を通って集塵体６４が外部に取り出せるようになっている。
【０００４】
上記のように構成した電気掃除機においては、差込み口６６に一端に床ブラシが取付けられたホース（図示ぜす）を接続して電動送風機６２に通電すると、床上の塵埃が床ブラシに吸い込まれ、集塵体６４でろ過されて集塵体６４内に堆積する。集塵体６４は塵埃で満杯になると吸引力が低下するため、新しい集塵体と交換する必要がある。
【０００５】
集塵体６４を交換する場合は、ホースを差込み口６６から取り外し、さらに、接続部６５を操作して前側ケース６３を後側ケース６１から分離し、前取っ手６８を保持しながら前側ケース６３をごみ箱上へ移動する。そして、脱ボタン７０を圧下することにより、その押圧面６９が集塵体６４の上部を押し下げ、さらに、蓋板７３が開口部７４を開放することにより、集塵体６４が開口部７４を通って落下し、ゴミ箱内に捨てられる。
また、新しい集塵体６４を取付ける場合は、蓋板７３を開いて開口部７４内に手を入れ、前側ケース６３の奥に集塵体６４を取付けて蓋板７３を閉じ、前側ケース６３を後側ケース６１に接続する（従来技術１）。
【０００６】
図８は特開２０００−８３８７８号公報に記載された電気掃除機の要部の断面図である。なお、電気掃除機全体の基本的構成は、従来技術１とほぼ同様なので、説明を省略する。図において、８１は集塵体８２が収納された集塵ケースで、その上方は蓋８３により開閉自在に覆れている。そして、集塵体８２は上部に取っ手８４を備えたＬ字状の集塵バスケット８５の下ガイド８６上に載置され、その台紙８７の上下が下フック８８と上フック８９により保持されている。
【０００７】
上記のような電気掃除機において、塵埃が満杯になった集塵体８２を交換する場合は、蓋８３を開放して集塵体８２を集塵バスケット８５と共に外部に取り出す。そして、集塵バスケット８５をごみ箱上に移動し、上フック８９を解除することにより集塵体８２は集塵バスケット８５から外れて落下し、ごみ箱内に捨てられる。
また、新しい集塵体８２を取付ける場合は、集塵体８２の台紙８７を上下のフック８９，８８にセットし、集塵バスケット８５を集塵ケース８１に取付け、蓋８３を閉じる（従来技術２）。
【０００８】
【発明が解決しようとする課題】
従来技術１の電気掃除機は、集塵体６４を交換する際は、必ず前側ケース６３に接続されたホースを抜き差ししなければならず、また、後側ケース６１と前側ケース６３とを接続部により分離又は固定しなければならないので、面倒であった。さらに、前側ケース６３が掃除機本体の約半分の大きさであるため、前側ケース６３を分離して移動する際に、重いばかりでなく、片手での脱ボタン７０の操作がやりづらかった。
また、満杯になった集塵体６４を捨てる際に、集塵体６４が前側ケース６３の内壁に密着しているため、脱ボタン７０を押しても落下しにくいという問題があった。さらに、新しい集塵体６４を取付ける場合、取付け部が奥まった位置にあるため取付けにくく、誤って取付けた場合は、ごみが前側ケース６３に洩れるという問題もあった。
【０００９】
従来技術２の電気掃除機は、集塵体８２を取り出す場合は、必らず蓋８３を開放しなければならず、また、集塵バスケット８５の取っ手８４が集塵ケース８１内にあるため塵埃で汚れており、集塵体８２の交換時に手が汚れるという問題があった。
【００１０】
本発明は、上記の課題を解決するためになされたもので、集塵体をワンアクションで簡単に取出すことができるばかりでなく、手を汚さずにごみ捨て作業を容易に行うことができ、また、集塵体の取付けが簡単な電気掃除機を得ることを目的としたものである。
【００１１】
【課題を解決するための手段】
本発明に係る電気掃除機は、前端にホース差込み口が設けられ、その後方に電動送風機が収納された掃除機本体と、有天で後面開放の集塵ケースと、前記集塵ケースの有天の天面に設けられた取っ手からなり、前記掃除機本体の上方から前記ホース差込み口と前記電動送風機との間の前記掃除機本体に着脱可能に装着される集塵ボックスと、台紙を有し、内部に塵埃を捕集して、塵埃で満杯になった際には新しいものと交換可能な集塵体とを備え、前記集塵ボックスは、前記集塵体の台紙を係止して前記集塵体を収納可能で、前記集塵ボックスに前記集塵体を取り付けた状態で前記集塵ボックスを前記掃除機本体に装着することで前記集塵体も前記電気掃除機本体にセットされ、前記集塵体を交換する際には、前記集塵ボックスを掃除機本体から脱することで、前記集塵体も共に掃除機本体より取り外すことができ、前記集塵体を前記集塵ボックスの後面より排出可能に構成したものである。
【００１４】
また、集塵ケースに脱ボタンを設けると共に、脱ボタンの動作により集塵体を排出可能に構成したものである。
【００１５】
【発明の実施の形態】
図１は本発明に係る電気掃除機の一実施の形態の縦断面図、図２は図１の要部の拡大図、図３は図１の要部の分解斜視図である。
図において、１は掃除機本体で、電動送風機３が収容されて前面側に多数の通気孔を有する隔壁４が設けられ、両側に後輪が装着されて下部が隔壁４から底板５により前面側に延設され、前端部に前壁６が立設されてホースの差込み口７が設けられた下ケース２と、取っ手９を有する上ケース８とからなり、掃除機本体１の前面側には、集塵ケース１１及びガイド枠２５からなる集塵ボックス１０が着脱可能に設置されている。なお、本実施の形態においては、図１の左側を前面側、右側を後面側という。
【００１６】
集塵ボックス１０を構成する集塵ケース１１は、有天で後面側が開放されたほぼ半円筒状に形成され、前面側下部に半円状の開口部１２ａが設けられた本体部１２と、本体部１２の天面に取付けられた前取っ手１３と、前取っ手の前面側に設けられた上下に移動可能な脱ボタン１４とから構成されており、脱ボタン１４は集塵ケース１１との間に介装されたスプリング１６により常時上方に付勢されている。
【００１７】
また、脱ボタン１４の下部には連通軸１５が設けられており、集塵ケース１１の本体部１２に設けた連通穴１７に挿通されて内部に突出する。さらに、連通軸１５の先端部には、先端押し片１９を備えたシールバルブ１８がねじ止めされて一体に結合されており、シールバルブ１８の上面に設けたシールパッキン２０に、集塵ケース１１に設けたシールリブ２１がスプリング１６の力によって押し付けられることにより、集塵ケース１１内と外気とを遮断している。
【００１８】
２５は集塵ケース１１の下部内側にねじ止めされて一体に結合された断面ほぼ凹字状のガイド枠で、前面板のほぼ中央部には通気口２６が設けられており、この通気口２６には弾性材からなるリング状のパッキン２７が嵌装されている。そして、このパッキン２７の前面側にはシールリップ２７ａが設けられており、後面側には筒状で比較的長いガイドリブ２７ｂが設けられている。また、通気口２６の上方には、軸２９を支点として回動可能に軸支されたホルダ２８が配設されており、このホルダ２８の後部には傾斜面を有する上フック３０が設けられている。さらに、前面上部にはシールバルブ１８の先端押し片１９と対応する位置に受け部３１が形成されており、前面側下部にはばね受け３２が突設されている。そして、ホルダ２８は、ばね受け３２とガイド枠２５との間に介装されたばね３３により、上フック３０の傾斜面が斜め下方に向くように付勢されている。
【００１９】
３４はガイド枠２５の下端部に設けられた後述の集塵体４０の横幅Ａより長さの短い台座、３５は台座３４の前面側に設けた集塵体４０の台紙４１を係止する下フックである。
集塵体４０の前面側には、上方に偏心してパッキン２７のガイドリブ２７ｂに嵌合する穴４２を有する台紙４１が設けられており、ガイド枠２５の後方から台座３４上に集塵体４０を載置して台紙４１の下端部を下フック３５に係止させ、上部をホルダ２８の上フック３０の傾斜面に当接して押せば、ホルダ２８が回動して台紙４１は自動的に上フック３０に係止され、その穴４２がパッキン２７のガイドリブ２７ｂの外周に嵌合される。このとき、台紙４１に設けた穴４２は偏心して設けられて上下方向が規制されているため、上下方向を間違えて装着することはない。
【００２０】
４５はガイド枠２５に取付けられた集塵体４０の取付け忘れ防止用のストッパで、その軸４６がガイド枠２５の軸受け３６に嵌合して回動可能に保持されている。
ストッパ４５のガイド枠２５への取付け状態を図４に示す。ストッパ４０の上部に設けたばね受け４７と、ガイド枠２５の軸受け３６に設けたばね受け３７との間にはばね５０が介装されており、ストッパ４５の先端部４８がガイド枠２５の前面に設けた案内リブ３８より前方に突出するように常時付勢されている。
【００２１】
また、ガイド枠２５に集塵体４０を取付けた状態では、ストッパ４５の上部背面に設けた突部４９に集塵体４０の台紙４１が当接して押圧し、ストッパ４５を回動させてその先端部４８が案内リブ３８と同じか又は後方に位置になるように構成されている
【００２２】
また、集塵ボックス１０が掃除機本体１に取付けられた状態では、図２に示すように、パッキン２７の前側において、差込み口７が設けられた下ケース２の前壁６に取付けられた弾性材からなるパッキン５１のシールリップ５２と、ガイド枠２５に取付けたパッキン２７の前面側に設けたシールリップ２７ａとが互いに接触し合って、シール構造が形成される。そして、集塵ボックス１０を掃除機本体１に着脱する際には両パッキン２７，５１のシールリップ２７ａと５２が互いに弾性変形し、スムーズに着脱することができる。
【００２３】
次に、本発明に係る電気掃除機の作用を説明する。一端が掃除機本体１の差込み口７に接続されたホース又はホースに接続されたパイプの先端部に連結した床ブラシ（図示せず）から吸い込まれた塵埃は、差し込み口７からパッキン５２，２７の開口部を通り、集塵体４０に内に捕集される。
塵埃で満杯になった集塵体４０を新しい集塵体と交換しようとする場合は、ホース差し込み口７に接続した状態で前取っ手１３を手に持って集塵ボックス１０を上方に引き上げる。このとき、集塵体４０の台紙４１が上フック３０と下フック３５に係止しているため、集塵体４０は集塵ボックス１０と共に引き上げられる。このときの状態を図５、図６に示す。
【００２４】
ついで、図６に示す状態で集塵ボックス１０をごみ箱の上まで移動し脱ボタン１４を下方に押し上げる。これにより、シールバルブ１８の先端押し片１９がホルダ２８の受け部３１を圧下し、ホルダ２８を軸２９を支点として矢印Ｃ方向に回動させ、フック３０による集塵体４０の台紙４１の上部のロックを解除する。塵埃で満杯になった集塵体４０は、ガイド枠２５の台座３４が短いため後方に張り出しており、フック３０によるロックが解除されるとその自重により矢印Ｄ方向に回動して集塵ボックス１０から離脱し、落下してごみ箱に捨てられる。一方、脱ボタン１４はスプリング１６の付勢力により元の状態に戻る。
【００２５】
新しい集塵体４０を取付ける場合は、集塵体４０を集塵ボックス１０の後方から挿入し、台紙４１の下端部をガイド枠２５の下フック３５に係合させると共に、台紙４１を矢印Ｅ方向に回動させる。これにより、台紙４１の上部がホルダ２８の上フック３０の傾斜面を押し上げながら前進して上フック３０に係止し、集塵体４０はワンタッチでセットされる。このとき、台紙４１はストッパ４５の突起４９を押圧してストッパ４５を回動させ、その先端部４８を案内リブ３８と同じ高さ又はそれにより後方の位置に保持する。
【００２６】
集塵ボックス１０を掃除機本体１に装着する場合は、図５の状態から、集塵ボックス１０を掃除機本体１の前面側に差し込むことにより簡単にセットされ、一体化することができる。
なお、集塵体４０がガイド枠２５にセットされていない状態で掃除機本体１にセットしようとすると、ストッパ４５の先端部４８がガイド枠２５の案内リブ３８より前方に位置しているため、この先端部４８が掃除機本体１に設けた誤操作防止リブ（図示せず）に当って阻止され、それ以上挿入することができないため、セットすることができない。
【００２７】
【発明の効果】
本発明に係る電気掃除機は、前端にホース差込み口が設けられ、その後方に電動送風機が収納された掃除機本体と、前記ホース差込み口と前記電動送風機との間の前記掃除機本体に着脱可能に装着され、有天で後面開放の集塵ケースと、前記集塵ケースの有天の天面に設けられた取っ手からなり、前記掃除機本体の上方から前記ホース差込み口と前記電動送風機との間の前記掃除機本体に着脱可能に装着される集塵ボックスと、台紙を有し、内部に塵埃を捕集して、塵埃で満杯になった際には新しいものと交換可能な集塵体とを備え、前記集塵ボックスは、前記集塵体の台紙を係止して前記集塵体を収納可能で、前記集塵ボックスに前記集塵体を取り付けた状態で前記集塵ボックスを前記掃除機本体に装着することで前記集塵体も前記電気掃除機本体にセットされ、前記集塵体を交換する際には、前記集塵ボックスを掃除機本体から脱することで、前記集塵体も共に掃除機本体より取り外すことができ、前記集塵体を前記集塵ボックスの後面より排出可能に構成したので、取っ手を持って集塵ボックス着脱でき、集塵ケースの天面の取っ手を持ったときに手が汚れることがない。また新しい集塵体と交換しようとする場合、吹込穴が上方を向き、塵埃がこぼれるのを防止することができ、取扱いが容易であり、使い勝手のよい電気掃除機を得ることができる。
【００２８】
また、集塵ケースに脱ボタンを設けると共に、脱ボタンの動作により集塵体を排出可能に構成したので、集塵ボックスを掃除機本体から引き出して脱ボタンを圧下することにより、集塵体を容易かつ確実に落下させることができる。
【図面の簡単な説明】
【図１】  本発明に係る電気掃除機の一実施の形態の縦断面図である。
【図２】  図１の要部の拡大図である。
【図３】  図１の要部の分解斜視図である。
【図４】  図１の集塵ボックスの一部断面図である。
【図５】  掃除機本体から集塵ボックスを分離した状態を示す斜視図である。
【図６】  集塵ボックスの作用を説明するための縦断面図である。
【図７】  従来の電気掃除機の一例の説明図である。
【図８】  従来の電気掃除機の他の例の説明図である。
【符号の説明】
１  掃除機本体、２  下ケース、８  上ケース、１０  集塵ボックス、１１  集塵ケース、１３  前取っ手、１４  脱ボタン、２５  ガイド枠、２７  パッキン、２７ｂ  ガイドリブ、２８  ホルダ、３０  上フック、３４  台座、３５  下フック、３８  案内リブ、４０  集塵体、４１  台紙、４２  穴、４５  ストッパ、４９  突起。
【図１】
0003809600.tif 000002
【図２】
0003809600.tif 000003
【図３】
0003809600.tif 000004
【図４】
0003809600.tif 000005
【図５】
0003809600.tif 000006
【図６】
0003809600.tif 000007
【図７】
0003809600.tif 000008
【図８】
0003809600.tif 000009